(57)【要約】【課題】ロータり耕耘装置に、圃場表面にある多量の稲麦の長稈を処理する装置を設ける。【解決手段】伝動ケース４の下端部とサポートフレーム５の下端部との間に、アップカットあるいはダウンカット形式の耕耘ロータＵＲ，ＤＲを軸支したロータリ耕耘装置１であって、耕耘ロータＵＲ，ＤＲの前方に、上下調節可能なコールタ１５を複数個配設した。コールタ１５は、ロータリ耕耘装置１が移動する際に土壌と接する抵抗により自転し、あるいは動力により強制駆動回転する。複数のコールタ１５の相互の間隔を調節可能にした。複数のコールタ１５のうち両端のもの１５Ｓは、耕耘ロータがアップカットＵＲの場合は伝動ケース４及びサポートフレーム５の前方に、ダウンカットＤＲの場合は伝動ケース４及びサポートフレーム５の内側に、それぞれ配設した。伝動ケース４の下部前側及びサポートフレーム５の下部前側に、ガイドプレート２４を配設した。【選択図】　　　　図２
2004065197.tif 000002
【特許請求の範囲】
【請求項１】
伝動ケースの下端部とサポートフレームの下端部との間に、アップカットあるいはダウンカット形式の耕耘ロータを軸支したロータリ耕耘装置において、
上記耕耘ロータの前方に、上下調節可能なコールタを複数個配設したことを特徴とするロータリ耕耘装置。
【請求項２】
上記コールタは、ロータリ耕耘装置が移動する際に土壌と接する抵抗により自転し、あるいは動力により強制駆動回転することを特徴とする請求項１記載のロータリ耕耘装置。
【請求項３】
上記複数のコールタの相互の間隔を調節可能に構成したことを特徴とする請求項１又は２記載のロータリ耕耘装置。
【請求項４】
上記複数のコールタのうち両端のものは、耕耘ロータがアップカットの場合は伝動ケース及びサポートフレームの前方に、ダウンカットの場合は伝動ケース及びサポートフレームの内側に、それぞれ配設したことを特徴とする請求項１記載のロータリ耕耘装置。
【請求項５】
上記伝動ケースの下部前側及びサポートフレームの下部前側に、ガイドプレートを配設したことを特徴とする請求項１記載のロータリ耕耘装置。
【発明の詳細な説明】
【０００１】
【発明の属する技術分野】
本発明は、アップカットあるいはダウンカット形式の耕耘ロータの前方に、上下調節可能なコールタを複数個配設し、また、耕耘ロータを軸支する伝動ケース及びサポートフレームの下部前側にガイドプレートを配設したロータリ耕耘装置に関する。
【０００２】
【従来の技術】
従来、伝動ケースの下端部とサポートフレームの下端部との間に、アップカットあるいはダウンカット形式の耕耘ロータを軸支したロータリ耕耘装置が周知である。このようなロータリ耕耘装置により、稲麦収穫後の圃場を耕耘したり、耕耘と同時に施肥播種作業を行うとき、圃場表面にある多量の稲麦の長稈（排稈）が耕耘作業の障害になるため、この稲麦の長稈を集めて焼却（野焼き）処理している。
【０００３】
【発明が解決しようとする課題】
上記のように従来のロータリ耕耘装置により稲麦収穫後の圃場を耕耘するときは、事前に圃場表面にある多量の稲麦の長稈（排稈）を集めて焼却しているので、長稈を集めるのに多くの労力及び時間を必要とするばかりでなく、排稈の焼却により煙害が発生し、社会問題となっている。
【０００４】
本発明は上記の課題を解決することを目的になされたもので、ロータリ耕耘装置により耕耘しようとする圃場の表面に稲麦の長稈が多量にある場合でも、これを集めて取り除いたり、焼却することなく耕耘作業が行えるようにしたロータリ耕耘装置を提供しようとするものである。
【０００５】
【課題を解決するための手段】
上記の目的を達成するために本発明は、以下の構成（請求項１〜５）を備えることを特徴としている。
Ａ．伝動ケースの下端部とサポートフレームの下端部との間に、アップカットあるいはダウンカット形式の耕耘ロータを軸支したロータリ耕耘装置において、
上記耕耘ロータの前方に、上下調節可能なコールタを複数個配設した。
【０００６】
Ｂ．上記コールタは、ロータリ耕耘装置が移動する際に土壌と接する抵抗により自転し、あるいは動力により強制駆動回転する。
Ｃ．上記複数のコールタの相互の間隔を調節可能に構成した。
【０００７】
Ｄ．上記複数のコールタのうち両端のものは、耕耘ロータがアップカットの場合は伝動ケース及びサポートフレームの前方に、ダウンカットの場合は伝動ケース及びサポートフレームの内側に、それぞれ配設した。
Ｅ．上記伝動ケースの下部前側及びサポートフレームの下部前側に、ガイドプレートを配設した。
【０００８】
【作用】
上記の構成により本発明のロータリ耕耘装置は、以下の作用をする。
ａ．耕耘ロータの前方に、上下調節可能なコールタを複数個配設することで、耕耘しようとする圃場の表面に稲麦の長稈が多量にあっても、これを複数個のコールタにより短く切断し、あるいは土中に押し込んで埋没させ、耕耘ロータにより適切な耕耘作業が行われる。また、多量の稲麦の長稈を集める手間が省け、長稈を焼却することによる煙害も防止できる。
【０００９】
ｂ．コールタは、ロータリ耕耘装置が移動する際に土壌と接する抵抗により自転し、あるいは動力により強制駆動回転することで、ロータリ耕耘装置により耕耘しようとする圃場の表面に稲麦の長稈が多量にあっても、これをコールタにより短く切断し、あるいは土中に押し込んで埋没させる。
ｃ．複数のコールタの相互の間隔を調節可能に構成することで、ロータリ耕耘装置により耕耘しようとする圃場の表面にある稲麦の長稈の量や長さに応じてコールタの間隔を調節し、適切な切断処理が行われる。
【００１０】
ｄ．複数のコールタのうち両端のものは、耕耘ロータがアップカットの場合は伝動ケース及びサポートフレームの前方に、ダウンカットの場合は伝動ケース及びサポートフレームの内側にそれぞれ配設することで、ロータリ耕耘装置により耕耘しようとする圃場の表面に稲麦の長稈が多量にあっても、アップカット、ダウンカットのそれぞれの形式に応じて、伝動ケース及びサポートフレームの前側において多量の長稈がコールタにより切断処理され、安定した耕耘作業が行われる。
ｅ．伝動ケースの下部前側及びサポートフレームの下部前側に、ガイドプレートを配設することで、ロータリ耕耘装置により耕耘しようとする圃場の表面に稲麦の長稈が多量にあっても、これをコールタにより切断してガイドプレートによって伝動ケース及びサポートフレームの下側に案内し、伝動ケース及びサポートフレームの下部に詰まらせることなく埋没処理する。
【００１１】
【発明の実施の形態】
以下、本発明の一実施の形態を添付の図面を参照して具体的に説明する。
図１及び図２において、符号１は本発明による第１実施例のロータリ耕耘装置で、このロータリ耕耘装置１は、左右方向に延びる本体フレーム２の長さ方向中央部にギヤボックス３を設け、該ギヤボックス３から両側に延びて伝動フレーム２ａと支持フレーム２ｂを形成している。伝動フレーム２ａの側端部にはチェン伝動ケース４が、支持フレーム２ｂの側端部にはサポートフレーム５が、それぞれ上端部を固着して垂下され、これらチェン伝動ケース４の下端部とサポートフレーム５の下端部との間に、アップカット形式の耕耘ロータＵＲを軸支している。耕耘ロータＵＲの上方は本体フレーム２に支持されたシールドカバー６により覆われ、このシールドカバー６の後端部にエプロン７の前端部が上下回動自在に枢支されている。さらに、前記エプロン７の後端部に均平板８の前端部が上下回動自在に枢支され、該均平板８の左右両端部には延長均平板８ａが左右起倒可能に設けられている。前記エプロン７の上面と本体フレーム２の間にはコンプレッションロッド９，９が介装されている。
【００１２】
前記本体フレーム２から前方斜め下方に側面視正方形の支持パイプ１０が本体フレーム２と平行に支持され、この支持パイプ１０に、左右対をなす支持ホルダ１１，１１が設けられている。この支持ホルダ１１には支持アーム１２が上下調節可能に嵌挿され、該支持アーム１２の下端部に軸支部１３が取付けられ、この軸支部１３にロータリ耕耘装置１の長さと等しい長さの回転軸１４が軸支されている。この回転軸１４には、耕耘ロータＵＲの前方に位置して６個のコールタ１５が等間隔に配設され、それぞれのコールタ１５は、取付け部１５ａにより回転軸１４に対して軸方向に移動して固定可能であり、コールタ１５の相互の間隔が調節可能である。この実施例のコールタ１５は、ロータリ耕耘装置１が移動する際に土壌と接する接地抵抗により自転するようになっているが、これを動力により強制駆動回転するようにしてもよい。前記複数のコールタ１５のうち両端のもの１５Ｓは、耕耘ロータがアップカットＵＲの場合は図２のように伝動ケース４及びサポートフレーム５の前方に配設されるが、後述する図４のダウンカットＤＲの場合は伝動ケース４及びサポートフレーム５の内側に配設される。
【００１３】
符号１６は、ロータリ耕耘装置１が装着される図示しないトラクタから、ＰＴＯ軸、ユニバーサルジョイント、伝動軸を介して、ギヤボックス３から前方に突出した入力軸（図５参照）に対し、ロータリ耕耘装置１をトラクタに装着する動作によって自動的に接続して動力伝達する伝動装置である。この伝動装置１６による動力伝達の解除操作、及び自動接続待機操作は、伝動操作レバー１７により行われる。前記本体フレーム２から前方に左右一対のロアーリンク連結部２ｃ，２ｃが突出しており、このロアーリンク連結部２ｃ，２ｃにオートヒッチカプラ１８を介して自動連結される。前記オートヒッチカプラ１８には上部にトップリンク連結部１９及びトップマスト係合フック２０、下部両側にロアリンク連結ピン２２が設けられ、トラクタの３点リンクヒッチにオートヒッチカプラ１８を装着して、トップマスト係合フック２０をロータリ耕耘装置１のトップマスト２１に係合させて油圧によりロータリ耕耘装置１を持ち上げたとき、オートヒッチカプラ１８の下部両側がロアリンク連結ピン２２に自動連結され、ロータリ耕耘装置１はトラクタの後部に昇降可能に装着される。
【００１４】
前記シールドカバー６及びエプロン７の左右両側部は側部カバー２３により覆われ、この側部カバー２３の前部下側で伝動ケース４及びサポートフレーム５の下部前側に、ロータリ耕耘装置１の作業時に機体の進行とともに圃場表面にある稲麦の稈を、伝動ケース４またはサポートフレーム５の下側に案内するガイドプレート２４を配設している。本体フレーム２から後方に向け左右一対の作業機連結フレーム２５が先端枢支部ａを中心に上下回動可能に支持され、この作業機連結フレーム２５，２５間を連結杆２６により連結し、該連結杆２６の長さ方向中間部と本体フレーム２との間に上下調節装置２７を介装している。作業機連結フレーム２５，２５は、後端側から図５に示す他の作業機である施肥・播種機３０の連結杆３１，３１を嵌挿して、着脱可能になっている。
【００１５】
図３及び図４に示す本発明による第２実施例のロータリ耕耘装置１は、図１及び図２の第１実施例のロータリ耕耘装置１に比べ、耕耘ロータをアップカット形式ＵＲからダウンカット形式の耕耘ロータＤＲにし、コールタ１５の耕耘ロータに対する配置構造を変えたほかは、第１実施例のロータリ耕耘装置１と同じ構成である。即ち、第２実施例のロータリ耕耘装置１におけるコールタ１５は、回転軸１４に、耕耘ロータＤＲの前方に位置して４個のコールタ１５を等間隔に配設し、それぞれのコールタ１５は、取付け部１５ａにより回転軸１４に対して軸方向に移動して固定可能で、各コールタ１５の相互の間隔が調節可能である。前記４個のコールタ１５のうち両端のもの１５Ｓは、図４に示すように、耕耘ロータＤＲの伝動ケース４及びサポートフレーム５の内側に配設されている。
【００１６】
上記第１実施例及び第２実施例のロータリ耕耘装置１は、単独で通常の耕耘作業に用いることができるが、図５に示すように、ロータリ耕耘装置１の後部に本発明に係る施肥・播種機３０を、連結杆３１を介して装着して複合作業機として用いることもできる。
【００１７】
施肥・播種機３０は、機体から前方に左右一対の連結杆３１が突出しており、この連結杆３１，３１をロータリ耕耘装置１の作業機連結フレーム２５，２５に嵌挿して装着する。そして、上下調節装置２７を回動することによって、施肥・播種機３０はロータリ耕耘装置１に対して上下移動調節が可能である。施肥・播種機３０の本体フレーム３４の前端部に、上下調節機構３２と前後角度調節機構３３とが設けられ、施肥・播種機３０の上下高さと前後角度が調節可能である。本体フレーム３４には、側面視正方形の支持フレーム３４ａが左右方向に延びるようにして支持され、この支持フレーム３４ａに複数組（この実施例では２組）の施肥・播種ユニットが左右移動調節可能に取り付けられている。各施肥・播種ユニットは、肥料ホッパ３５と種子ホッパ３６が前後一体に設けられ、両ホッパ３５，３６の底部に軸支された肥料繰り出しロール３５ａ及び種子繰り出しロール３６ａにより肥料及び種子が繰り出される。
【００１８】
上記両ホッパ３５，３６の後方に、支持フレーム３４ａに対して上端部を枢支し、コンプレションロッド３８ａにより支持して後方下部に向け斜設されたチェン伝動ケース３８の後端部に接地駆動輪３７を軸支し、この接地駆動輪３７が圃場に接して機体の移動とともに回転駆動することにより得られた回転動力を、チェン伝動ケース３８を介して肥料繰り出しロール３５ａの回転中心を伝動状態で貫通して支持フレーム３４ａと平行に延びている回転軸３８ｂに伝達する。この回転軸３８ｂに対し、肥料繰り出しロール３５ａは伝動状態で左右に摺動可能であり、肥料繰り出しロール３５ａから種子繰り出しロール３６ａに対し図示しないギヤ伝動機構を介して回転動力が伝達される。肥料繰り出しロール３５ａから繰り出された肥料は肥料シュート３５ｂにより案内されて施肥され、種子繰り出しロール３６ａから繰り出された種子は種子シュート３６ｂにより案内されて播種される。肥料シュート３５ｂと種子シュート３６ｂとは左右にずれており、施肥位置と播種位置は左右にずれている。
【００１９】
肥料繰り出しロール３５ａ及び種子繰り出しロール３６ａの下方には、前端部を上下一対の平行リンク４０及び均衡ばね４１により支持された揺動フレーム３９が上下揺動可能に設けられている。この揺動フレーム３９と肥料繰り出しロール３５ａ及び種子繰り出しロール３６ａの下方との間は、蛇腹状の防水カバーにより覆われている。揺動フレーム３９には前から順に、２枚のディスクからなる開溝ディスク４２と、覆土輪４３と、鎮圧ローラ４４とを設けている。前記連結杆３１，３１の後端部には門型をした支持枠４５が固設され、この支持枠４５の下端部間に鎮圧・作溝ローラ４６，４７を軸支している。鎮圧・作溝ローラ４６，４７は、鎮圧ローラ４６の長さ方向中央位置にそろばん玉状の作溝ローラ４７を設けたものである。この鎮圧・作溝ローラ４６，４７は、機体が移動する際に接地抵抗により自転させるか、あるいは動力により強制回転駆動させるようにしてもよいものである。連結杆３１，３１及び支持枠４５（鎮圧・作溝ローラ４６，４７）はヒッチ金具３１ａを介して本体フレーム３４に対し着脱可能である。
【００２０】
次に、このような構成を備えたロータリ耕耘装置１及び施肥・播種機３０の動作について説明する。
ロータリ耕耘装置１及び施肥・播種機３０は、ロータリ耕耘装置１の前部をトラクタの後部に昇降可能に連結し、ロータリ耕耘装置１においては、トラクタからギヤボックス３に動力を受け、耕耘ロータＵＲまたはＤＲを所定の方向に回転させて耕耘作業を行う。また、施肥・播種機３０においては、ロータリ耕耘装置１とともに移動しながら、ロータリ耕耘装置１により耕耘整地された圃場面に施肥・播種作業を行う。
【００２１】
ロータリ耕耘装置１においては、耕耘しようとする圃場の表面に稲麦の長稈が多量にあっても、これを複数個のコールタ１５により短く切断し、あるいは土中に押し込んで埋没させ、耕耘ロータＵＲまたはＤＲにより適切な耕耘作業が行われる。また、複数のコールタ１５のうち両端のもの１５Ｓは、耕耘ロータがアップカットＵＲの場合は伝動ケース４及びサポートフレーム５の前方に、ダウンカットＤＲの場合は伝動ケース４及びサポートフレーム５の内側にそれぞれ配設されているので、ロータリ耕耘装置１により耕耘しようとする圃場の表面に稲麦の長稈が多量にあっても、アップカットＵＲ、ダウンカットＤＲのそれぞれの形式に応じて、伝動ケース４及びサポートフレーム５の前側において稲麦の長稈がコールタ１５により切断処理され、安定した耕耘作業が行われる。さらに、伝動ケース５の下部前側及びサポートフレーム５の下部前側にガイドプレート２４が配設されているので、コールタ１５により切断されたワラ稈をガイドプレート２４によって伝動ケース４及びサポートフレーム５の下側に案内し、伝動ケース４及びサポートフレーム５の下部に長いワラ稈が詰まるのが防止される。
【００２２】
また、ロータリ耕耘装置１で耕耘しようとする圃場の表面に稲麦の長稈が多量にあっても、これをコールタ１５により短く切断してから耕耘ロータＵＲまたはＤＲにより耕耘するので、耕耘ロータＵＲまたはＤＲの回転軸や耕耘爪の取り付け基部にワラ稈が巻き付くのを防止する。耕耘ロータＵＲまたはＤＲにより耕耘された土壌は、シールドカバー６、エプロン７、均平板８などによって砕土・均平されるが、長いワラ稈はコールタ１５により切断されているので、ワラ稈の土壌への混入が良好に行われ、土壌表面に多くのワラ稈が露出することがなく、施肥・播種機３０による施肥・播種作業を精度よく行うことができる。
【００２３】
施肥・播種機３０においては、機体前部に設けた鎮圧・作溝ローラ４６，４７により、施肥・播種作業に先立って、ロータリ耕耘装置１により耕耘・整地・均平された圃場面を鎮圧ローラ４６により鎮圧して均平にし、２つの施肥・播種ユニットの中間位置に排水溝、あるいは施肥・播種後の管理作業の目印となる溝が作溝ローラ４７により形成される。そして、鎮圧ローラ４６により鎮圧された圃場面に開溝ディスク４２により播種溝が開溝され、この播種溝に種子シュート３６ｂから播種される。また、播種位置の側方に肥料シュート３５ｂにより施肥される。播種された種子及び施肥された肥料は覆土輪４３により覆土され、その後鎮圧ローラ４４により鎮圧される。このような、開溝ディスク４２による開溝作業、覆土輪４３による覆土作業、鎮圧ローラ４４による鎮圧作業の際に圃場面に凹凸があると、平行リンク４０及び均衡ばね４１を介して揺動フレーム３９が上下に揺動し、圃場の凹凸に追従して安定した作業を行う。
【００２４】
【発明の効果】
以上説明したように本発明によるロータリ耕耘装置は、請求項１〜５に記載の構成を備えることにより、以下の作用効果を奏する。
▲１▼．耕耘ロータの前方に、上下調節可能なコールタを複数個配設したので、耕耘しようとする圃場の表面に稲麦の長稈が多量にあっても、これを複数個のコールタにより短く切断し、あるいは土中に押し込んで埋没させ、耕耘ロータにより適切な耕耘作業が行われ、排稈の腐食を早めて有機肥料として圃場還元できる。また、多量の稲麦の長稈を集める手間が省け、長稈を焼却することによる煙害も防止することができる。
【００２５】
▲２▼．コールタは、ロータリ耕耘装置が移動する際に土壌と接する抵抗により自転し、あるいは動力により強制駆動回転するので、ロータリ耕耘装置により耕耘しようとする圃場の表面に稲麦の長稈が多量にあっても、これをコールタにより短く切断し、あるいは土中に押し込んで埋没させることができる。
▲３▼．複数のコールタの相互の間隔を調節可能に構成したので、ロータリ耕耘装置により耕耘しようとする圃場の表面にある稲麦の長稈の量や長さに応じてコールタの間隔を調節し、適切な切断・埋没処理を行うことができる。
【００２６】
▲４▼．複数のコールタのうち両端のものは、耕耘ロータがアップカットの場合は伝動ケース及びサポートフレームの前方に、ダウンカットの場合は伝動ケース及びサポートフレームの内側に、それぞれ配設したので、ロータリ耕耘装置により耕耘しようとする圃場の表面に稲麦の長稈が多量にあっても、アップカット、ダウンカットのそれぞれの形式に応じて、伝動ケース及びサポートフレームの前側において多量の長稈がコールタにより切断処理され、安定した耕耘作業を行うことができる。
▲５▼．伝動ケースの下部前側及びサポートフレームの下部前側に、ガイドプレートを配設したので、ロータリ耕耘装置により耕耘しようとする圃場の表面に稲麦の長稈が多量にあっても、これをコールタにより切断してガイドプレートによって伝動ケース及びサポートフレームの下側に案内して、伝動ケース及びサポートフレームの下部に詰まらせることなく埋没処理できる。
【図面の簡単な説明】
【図１】本発明による第１実施例のロータリ耕耘装置（アップカット）の側面図である。
【図２】同平面図である。
【図３】本発明による第２実施例のロータリ耕耘装置（ダウンカット）の側面図である。
【図４】同平面図である。
【図５】本発明による第２実施例のロータリ耕耘装置に本発明による施肥・播種機を連結した複合作業機の側面図である。
【符号の説明】
１　ロータリ耕耘装置
２　本体フレーム　　２ａ　伝動フレーム　　２ｂ　支持フレーム　　２ｃ　ロアリンク連結部
３　ギヤボックス
４　チェン伝動ケース
５　サポートフレーム
ＵＲ　アップカット耕耘ロータ　　ＤＲ　ダウンカット耕耘ロータ
６　シールドカバー
７　エプロン
８　均平板
９　，３８ａ　コンプレッションロッド
１０　支持パイプ
１１　支持ホルダ
１２　支持アーム
１３　軸支部
１４　回転軸
１５　コールタ　　１５ａ　取付け部　１５Ｓ　両端のコールタ
１６　伝動装置
１７　伝動操作レバー
１８　オートヒッチカプラ
１９　トップリンク連結部
２０　トップマスト係合フック
２１　トップマスト
２２　ロアリンク連結ピン
２３　側部カバー
２４　ガイドプレート
２５　作業機連結フレーム
２６　連結杆
２７　上下調節装置
３０　施肥・播種機
３１　連結杆
３２　上下調節機構
３３　前後角度調節機構
３４　本体フレーム　　３４ａ　支持フレーム
３５　肥料ホッパ　　３５ａ　肥料繰り出しロール　　３５ｂ　肥料シュート
３６　種子ホッパ　　３６ａ　種子繰り出しロール　　３６ｂ　種子シュート
３７　接地駆動輪
３８　チェン伝動ケース　　３８ｂ　回転軸
３９　揺動フレーム
４０　平行リンク
４１　均衡ばね
４２　開溝ディスク
４３　覆土輪
４４　鎮圧ローラ
４５　支持枠
４６　鎮圧ローラ
４７　作溝ローラ
【図１】
2004065197.tif 000003
【図２】
2004065197.tif 000004
【図３】
2004065197.tif 000005
【図４】
2004065197.tif 000006
【図５】
2004065197.tif 000007